(57)【特許請求の範囲】
【請求項１】
基座と、
垂直姿勢に前記基座に固定される支柱と、
前記支柱に沿って垂直方向に摺動する昇降部と、
前記昇降部に対して固定されて、洗濯機の前後方向中間部よりも正面側で洗濯機の正面側の脚部の下側に配置された状態で前記昇降部の垂直移動によって洗濯機の正面側の脚部のみを昇降させる保持部と、
前記昇降部に形成された支持フックに着脱可能に固定されて洗濯機の背面側から洗濯機を支持し、洗濯機の正面側の脚部が前記保持部と共に上昇した際に、洗濯機の背面側へ傾倒することを抑制する支持ベルトと、
前記昇降部を上下に移動させる操作部と、
を具えることを特徴とする洗濯機のリフト装置。
【発明の詳細な説明】
【技術分野】
【０００１】
本発明は、洗濯機の収納区画に設置された防水パンと洗濯機の間にかさ上げ台を入れるための洗濯機のリフト装置に関する。
【背景技術】
【０００２】
一般に、マンション等の集合住宅にあっては、台所、洗面所、浴室付近等に、比較的狭く区画した洗濯機収納場所が予め用意されており、この床面上に設置してある防水パンの上に洗濯機を設置して使用されている。
【０００３】
そして、水詰まりや水漏れを防止するために、住戸毎に設置されている排水管の高圧洗浄作業が定期的に行われており、その際は、洗濯機を載置している防水パンに設けられた排水口から洗浄ホースを入れて排水管の高圧洗浄作業を行うことになる。
【０００４】
しかしながら、このようなマンション等の集合住宅における洗濯機の設置状況にあっては、狭い洗濯機収納場所に設置された防水パンの上に洗濯機が設置されており、洗濯機と防水パンとの間には洗浄ホースを挿込む十分な隙間が確保されていなかった。
【０００５】
そこで、洗濯機の脚部の下にかさ上げ台等の支持台を配置して、洗濯機と防水パンとの間の隙間を確保することにより、作業の度に洗濯機を移動させることなく洗浄ホースを挿込むことを可能とすればよいが、かさ上げ台等の支持台を設置するためには、洗濯機を一旦持ち上げる必要がある。
【０００６】
しかしながら、近年急速に普及しているドラム式洗濯機は、乾燥機としての機能を一体的に備えていることから重量が特に重く（約８０〜１００Ｋｇ）、また、収納場所の幅が狭いため、かさ上げ台等の支持台を入れるために複数の人間で洗濯機を持ち上げる作業は困難であり、無理をして洗濯機を移動させることにより、漏水や故障等の不具合が起こる虞や、周りの壁や床等に傷を付ける虞がある。
【０００７】
この問題を解消するため、洗濯機を持ち上げる様々なリフト装置が提案されている。
例えば、特許文献１には、二本のベルト紐を洗濯機の周囲に交差状態に掛け回して、ベルト紐を昇降自在なフォークに取付け、手動式のリフトによって吊り上げる方法や、二枚の押えプレートを、その幅を合わせた状態で前方から台車の前進によって押し込み、側方から挟んで持ち上げる方法によるリフト装置が開示されている。
【０００８】
しかしながら、特許文献１のベルト紐とフォークで吊り上げる方法は、洗濯機とその周囲の壁との間の狭い隙間にベルト紐を掛け回す必要があるため、ベルト紐の装着に手間と時間がかかる問題がある。また、収納場所によっては、壁との隙間が１０ｍｍ程度しかない場合もあり、作業が極めて困難、または作業できない虞もある。さらに、洗濯機の上方に棚などが設置されている場合は、上方から吊り上げるのは困難、または不可能である虞がある。
【０００９】
また、特許文献１の挟んで持ち上げる方法は、洗濯機側面と壁との隙間が狭い場合には対応できるが、洗濯機の正面のスペースに、台車の奥行に加え、洗濯機と略同等の奥行を有する押えプレートの奥行を必要とするので、洗濯機の正面のスペースが狭い場合、作業が極めて困難、または作業できない虞もある。
【００１０】
さらに、特許文献１の二つの形態に共通して、リフト装置が大型であるため、室内への搬入が困難であり、室内の壁や床等を傷付ける虞がある。
【００１１】
これに対し、室内への搬入を容易にするため、組立および分解が可能であるリフト装置が特許文献２に開示されているが、７つの部品（ベース、ベースガイド、支柱、アーム、保持具、チェーンレバーホイスト（昇降手段））を組立てる必要があり、リフト装置の設置に手間と時間がかかる問題がある。
【００１２】
また、特許文献２のリフト装置は、支柱の上部に取付けられたアームに吊り下げられたチェーンレバーホイスト（昇降手段）にさらに取付けられかつ垂下したベルトの先端に装着したフックを、洗濯機側面に形成される取っ手穴（運搬時に手を掛ける部分）に係合させ吊り上げる方法によるものであり、洗濯機の上方に棚などが設置されている場合は、上方から吊り上げるのは困難、または不可能である虞がある。
【００１３】
さらに、特許文献３には、洗濯機の上に乗せた架台を通して垂下したベルト紐の先端に装着したフック部材を、洗濯機側面に形成される凹部（運搬時に手を掛ける部分）に係合させ、架台をフォークで持ち上げる方法によるため、洗濯機の側方および上方のスペースを必要としないリフト装置が開示されている。
【００１４】
しかしながら、特許文献３のリフト装置は、たとえ分解可能な構成にしたとしても、部品数が多く煩雑である。
【００１５】
また、特許文献１乃至３に共通して、支柱が長い（高い）ため、搬入が困難である問題点が依然に存在する。
【先行技術文献】
【特許文献】
【００１６】
【特許文献１】実用新案登録第３１４０８９５号公報
【特許文献２】実用新案登録第３１５４５３０号公報
【特許文献３】特開２００９−２５６０６０号公報
【発明の概要】
【発明が解決しようとする課題】
【００１７】
そこで、本発明は、上述した事情に鑑み、装置全体が小型化であって、室内への搬入が容易であるとともに、作業準備および作業を容易かつ迅速に行うことが可能である洗濯機のリフト装置を提供することを目的とする。
【課題を解決するための手段】
【００１８】
上述した課題を解決するために、本発明の洗濯機のリフト装置では、基座と、垂直姿勢に前記基座に固定される支柱と、前記支柱に沿って垂直方向に摺動する昇降部と、前記昇降部に対して固定されて、洗濯機の前後方向中間部よりも正面側で洗濯機の正面側の脚部の下側に配置された状態で前記昇降部の垂直移動によって洗濯機の正面側の脚部のみを昇降させる保持部と、前記昇降部に形成された支持フックに着脱可能に固定されて洗濯機の背面側から洗濯機を支持し、洗濯機の正面側の脚部が前記保持部と共に上昇した際に、洗濯機の背面側へ傾倒することを抑制する支持ベルトと、前記昇降部を上下に移動させる操作部と、を具えるようにしている。
【発明の効果】
【００１９】
このように、本願の洗濯機のリフト装置は、保持部が洗濯機の前後方向中間部よりも正面側で洗濯機の正面側の脚部の下側に配置される。この状態で昇降部が垂直移動されて保持部が上昇されると、洗濯機の正面側の脚部のみが上昇される。洗濯機の正面側の脚部のみが上昇されることによって、洗濯機は、背面側へ傾倒される。
ここで、本願の洗濯機のリフト装置では、洗濯機は、支持ベルトによって背面側から支持される。これによって、上記のように洗濯機の正面側の脚部が保持部と共に上昇した際に、洗濯機の背面側への傾倒が支持ベルトによって抑制される。このため、保持部が洗濯機の正面側の脚部のみを上昇させる構成であっても、洗濯機全体を上昇させることができる。したがって、保持部の奥行方向のサイズは正面側の脚部を載置できる程度のものであればよく、リフト装置の高さ方向のサイズは洗濯機の高さより低いものでよい。
【００２０】
また、洗濯機の上方のスペースは、支持ベルトを掛ける際に手を伸ばせるだけの高さがあれば十分であり、洗濯機の側方のスペースは、ベルトを上方から滑り落とせるだけの隙間があれば十分である。
【００２１】
したがって、リフト装置全体を小型にすることが可能であるので、室内への搬入が容易かつ、狭い洗濯機収納場所における作業準備および昇降作業も容易に行うことができる。
【図面の簡単な説明】
【００２２】
【図１】本発明の一実施例に係るリフト装置の概略構成を示す側面図。
【図２】図１におけるリフト装置の着脱可能部品を取外した状態を示す図。
【図３】リフト装置を洗濯機正面に配置した状態を示す図。
【図４】図３において、保持部を洗濯機の正面側脚部に挿込んだ状態を示す図。
【図５】図４において、支持ベルトを洗濯機の背面側に掛けた状態を示す図。
【図６】図５において、リフト装置を上昇させた状態を示す図。
【図７】図６において、かさ上げスタンドを設置した状態を示す図。
【図８】図７において、リフト装置を下降させた状態を示す図。
【図９】図８において、リフト装置を洗濯機から取外した状態を示す図。
【発明を実施するための形態】
【００２３】
以下、本発明の一実施例に係る洗濯機のリフト装置１０について、図１乃至図９に示す図を参照しながら説明する。以降の説明では、先にリフト装置１０の構成を説明し、その後、リフト装置１０による洗濯機２０のかさ上げの手順について説明する。なお、各図面において、リフト装置１０の載置部１４ａ先端側を前方、洗濯機２０においてはリフト装置１０と対向する側を正面側、と定義するものとする。
【００２４】
図１および図２に示すように、リフト装置１０は、基座１１と、支柱１２と、昇降部１３と、保持部１４と、踏み台１５と、支持ベルト１６と、手押しハンドル１８および減圧バルブ１９を有する操作部１７とを主に具え、保持部１４と、踏み台１５と、支持ベルト１６と、手押しハンドル１８とが、リフト装置１０本体に対して、着脱可能であるように構成される。
【００２５】
基座１１は、床面に水平である矩形の板形状の土台であり、本実施例においては、台車形態にして前後方向（図示右左方向）への移動を容易にしている。
【００２６】
支柱１２は、基座１１に対して垂直姿勢に起立して固着され、昇降部１３を上下垂直方向に案内する円柱形状のガイドシャフト１２ａを前方側（図示右側）に具える。
【００２７】
昇降部１３は、本実施例においては水圧シリンダの円筒部からなる。ガイドシャフト１２ａに係合させた係合部１３ａを介して基座１１および支柱１２対して垂直方向に摺動可能であるように連結しており、後述する操作部１７の操作によって、円筒部内の図示せぬピストンを昇降させて、水圧シリンダを伸縮させるようにしている。また、前方側（図示右側）には保持部１４を引っ掛けるための掛合部１３ｂを形成し、上端には支持ベルト１６を引っ掛けるための支持フック１３ｃを形成している。
【００２８】
保持部１４は、後述する洗濯機２０の正面側の脚部２１（図４等参照）をそれぞれ載置する載置部１４ａを先端（図示右端）に具えるフォーク形状であって、後端（図示左端）に形成した図示せぬ孔部を掛合部１３ｂに引っ掛けることによって昇降部１３に固定されて、昇降部１３の昇降に連動して昇降するようにしている。
【００２９】
踏み台１５は、矩形の板形状であって、基座１１後端（図示左端）に形成した掛合部１１ａに図示せぬ切欠部を引っ掛けることによって装着する。後述するように保持部１４の載置部１４ａおよび支持ベルト１６によって洗濯機２０を持ち上げると、リフト装置１０の前方側（図示右方側）に荷重がかかる。この際、作業者が踏み台１５に乗りながら作業することにより、リフト装置１０にかかる荷重のバランスがとれ、より安全に作業を行うことができる。
【００３０】
支持ベルト１６は、後述する洗濯機２０の背面に掛けて洗濯機２０の背面を支持するものであって（図５等参照）、昇降部１３の上端に形成した支持フック１３ｃに引っ掛けることにより昇降部１３に固定される。
【００３１】
操作部１７には、基座１１に対して揺動自在に軸支されてかつ円筒形状に形成した装着部１７ａが設けられ、この装着部１７ａには、手押しハンドル１８が着脱自在に挿嵌される。手押しハンドル１８を装着部１７ａに挿込んだ状態において、前後方向（図示左右方向）に揺動すると、水圧シリンダが伸長して昇降部１３が上昇し、減圧バルブ１９を回すと、水圧シリンダが収縮して昇降部１３が下降する。なお、手押しハンドル１８の揺動方向は本実施例に限定されず、左右方向（図示奥行方向）に揺動するようにしてもよい。また、足踏みペダル式にしてもよい。
【００３２】
また、本実施例においては、保持部１４を昇降される手段として、水圧シリンダを用いたが、支柱１２に沿って保持部１４を垂直に昇降させるものであれば、油圧アクチュエータ等、他の手段を用いても構わない。
【００３３】
なお、支持ベルト１６は、引張り強さに優れたポリエステル等の樹脂繊維等を編んだ帯状に形成されるのが好ましく、また、水圧シリンダ（昇降部１３）は、強度に優れたスチール等で形成されるのが好ましいが、その他の構成部品は、加工容易かつ軽量なアルミ等で形成されるのが好ましい。
【００３４】
以上の如く構成したリフト装置１０において、洗濯機２０と防水パン３０との間にかさ上げスタンド４０を設置する手順について説明する。
【００３５】
まず、図３に示すように、昇降部１３に保持部１４を装着し、洗濯機２０の正面側に保持部１４の載置部１４ａ先端が対向するように配置する。この際、踏み台１５、支持ベルト１６、手押しハンドル１８は装着していない。
【００３６】
次に、図４に示すように、洗濯機２０を背面側に傾倒させて、正面側の脚部２１を浮かせ、この状態のままリフト装置１０を前進させ（図示右方に移動させ）、脚部２１と防水パン３０との間に載置部１４ａを挿込む。
【００３７】
さらに、図５に示すように、踏み台１５を装着してから、作業者が踏み台１５の上に乗り、洗濯機２０の背面に支持ベルト１６を掛けて、支持ベルト１６を支持フック１３ｃに引っ掛けて固定し、手押しハンドル１８を装着部１７ａに挿し込む。
【００３８】
そして、図６に示すように、手押しハンドル１８を揺動させると、水圧シリンダが伸長して昇降部１３および保持部１４が上昇するとともに、洗濯機２０が上昇する。この際、載置部１４ａは洗濯機２０の正面側の脚部２１のみを持ち上げるが、洗濯機２０の背面は支持ベルト１６に支えられて、背面側（図示右方）に傾倒することなく、背面側の脚部もともに浮き上がる。
【００３９】
洗濯機２０を持ち上げ、洗濯機２０と防水パン３０との間に十分の隙間を確保した後、図７に示すように、かさ上げスタンド４０を、防水パン３０に固定する。
【００４０】
そして、図８に示すように、減圧バルブ１９を回すと、水圧シリンダが収縮して昇降部１３および保持部１４が下降するとともに、洗濯機２０が下降する。
【００４１】
最後に、図９に示すように、支持ベルト１６および踏み台１５を取外し、リフト装置１０を後方（図示左方）にゆっくりと引き抜くと、かさ上げスタンド４０上に洗濯機２０の脚部２１が載置し、作業完了となる。
【００４２】
このように、本願の洗濯機のリフト装置は、洗濯機が後方に倒れないようにその背面側を支持ベルトで支えるとともに、洗濯機の正面側の脚部を下方から持ち上げる方式としている。
【００４３】
したがって、保持部は正面側の脚部のみ持ち上げるので奥行方向のサイズが小さく、洗濯機を下方から載置して持ち上げるので高さ方向のサイズも小さい。また、洗濯機の上方のスペースは、支持ベルトを掛ける際に手を伸ばせるだけの高さがあれば十分であり、洗濯機の側方のスペースは、ベルトを上方から滑り落とせるだけの隙間があれば十分である。リフト装置全体を小型にすることが可能であるので、室内への搬入が容易かつ、狭い洗濯機収納場所における作業準備および昇降作業も容易である。
【００４４】
さらに、踏み台を具え、作業者が踏み台に乗りながら昇降操作を行うようにすれば、作業者の体重を利用してリフト装置のバランスがとれ、より安全に作業を行うことができる。
【００４５】
また、保持部、手押しハンドルおよび踏み台を着脱式にすることによって、さらに室内への搬入を容易にすることができる。この際、保持部および踏み台は、昇降部および基座に設けられた掛合部に引っ掛ける構成にし、手押しハンドルは、円筒形状の装着部に挿込む構成にすれば、分解および組立に手間を取らずに済む。
【００４６】
なお、上記実施例は、本発明の好適な実施の形態を示したものに過ぎず、本発明の技術的範囲は、上記実施例そのものに何ら限定されるものではない。
【符号の説明】
【００４７】
１０    リフト装置
１１    基座
１１ａ  踏み台との掛合部
１２    支柱
１２ａ  ガイドシャフト
１３    昇降部
１３ａ  ガイドシャフトとの係合部
１３ｂ  フォークとの掛合部
１３ｃ  支持フック
１４    保持部
１４ａ  載置部
１５    踏み台
１６    支持ベルト
１７    操作部
１７ａ  装着部
１８    手押しハンドル
１９    減圧バルブ
２０    洗濯機
２１    脚部
３０    防水パン
４０    かさ上げスタンド
【図１】
0006598498.tif 000002
【図２】
0006598498.tif 000003
【図３】
0006598498.tif 000004
【図４】
0006598498.tif 000005
【図５】
0006598498.tif 000006
【図６】
0006598498.tif 000007
【図７】
0006598498.tif 000008
【図８】
0006598498.tif 000009
【図９】
0006598498.tif 000010